(57)【要約】【課題】操作者が筐体内の状態を精度良く観察することができるようにする。【解決手段】筐体Ｃｓと、該筐体Ｃｓ内においてレール１５に沿って移動自在に配設されたキャリッジ１７と、記録媒体を支持するプラテン２５と、前記キャリッジ１７に搭載され、記録を行う記録ヘッドＨｄｉと、筐体Ｃｓ内の状態を観察するための透過窓と、筐体Ｃｓ内において、装置本体の高さ方向におけるプラテン２５と頂壁Ｗｔとの間にわたって配設され、光源によって発生させられた光を放射する照明装置４６とを有する。被照射物が筐体Ｃｓ内の高さ方向におけるいずれの箇所にあっても照射することができるので、操作者は筐体Ｃｓ内の状態を精度良く観察することができる。【選択図】図１
2019048405.tif 000002
【特許請求の範囲】
【請求項１】
（ａ）前壁、頂壁、背壁及び側壁を備え、インクジェットプリンタの装置本体を包囲する筐体と、
（ｂ）該筐体内において主走査方向に延在させて配設されたレールと、
（ｃ）該レールに沿って移動自在に配設されたキャリッジと、
（ｄ）主走査方向に延在させて配設され、記録媒体を支持するプラテンと、
（ｅ）前記キャリッジに搭載され、キャリッジの移動に伴って記録媒体に向けてインク滴を吐出し、記録を行う記録ヘッドと、
（ｆ）前記筐体に配設され、筐体内の状態を観察するための透過窓と、
（ｇ）前記筐体内において、前記装置本体の高さ方向におけるプラテンと頂壁との間にわたって配設され、光源によって発生させられた光を放射光として放射する照明装置とを有することを特徴とするインクジェットプリンタ。
【請求項２】
前記照明装置は、前記装置本体の前後方向における前壁とレールとの間にわたって配設される請求項１に記載のインクジェットプリンタ。
【請求項３】
前記照明装置は、前記装置本体の幅方向におけるレールの両端間にわたって配設される請求項１又は２に記載のインクジェットプリンタ。
【請求項４】
前記照明装置は、筐体内に配設されたフレームに取り付けられる請求項１又は２に記載のインクジェットプリンタ。
【請求項５】
（ａ）前記フレームは、受け板、該受け板の一方の端部から立ち上げて形成された第１の外フレーム、前記受け板の他方の端部から立ち上げて形成された第２の外フレーム、及び前記第１、第２の外フレーム間において前記受け板から立ち上げて形成された内フレームを備え、
（ｂ）前記照明装置は、前記第１、第２の外フレーム及び内フレームに取り付けられる請求項４に記載のインクジェットプリンタ。
【請求項６】
前記照明装置は、前記第１、第２の外フレーム及び内フレームの互いに対向する面に取り付けられる請求項５に記載のインクジェットプリンタ。
【請求項７】
前記透過窓は、上端が下端より前記背壁側に位置させられる請求項１〜６のいずれか１項に記載のインクジェットプリンタ。
【請求項８】
前記透過窓は、下端が上端より前記背壁側に位置させられる請求項１〜６のいずれか１項に記載のインクジェットプリンタ。
【発明の詳細な説明】
【技術分野】
【０００１】
本発明は、インクジェットプリンタに関するものである。
【背景技術】
【０００２】
従来、プリンタ、複写機、ファクシミリ、複合機等の画像形成装置、例えば、インクジェットプリンタにおいては、キャリッジがレールに沿って移動させられ、キャリッジに搭載された記録ヘッドからインク滴が吐出され、記録媒体に付着させられることによって文字、イメージ等の画像が形成され、印刷が行われるようになっている。
【０００３】
ところで、前記インクジェットプリンタにおいては、インクジェットプリンタの本体、すなわち、装置本体を包囲する筐体内の状態、例えば、印刷が行われた直後の記録媒体の状態を観察すると、印刷の不良を早期に発見することができる。
【０００４】
そのために、前記筐体に透明カバーが配設され、操作者は、透明カバーを介して筐体内を目視することによって、記録媒体の状態を観察することができる。
【０００５】
ところが、筐体内は暗いので、視認性が低く、操作者は記録媒体の状態を十分に観察することができない。
【０００６】
そこで、レジストレーションを行うためにキャリッジに配設された検査用のセンサの発光素子であるＬＥＤを利用し、キャリッジを移動させながら記録ヘッドによる記録を行うとともに、ＬＥＤを発光させ、発生させられた光を記録媒体に照射するようにしたインクジェットプリンタが提供されている（例えば、特許文献１参照。）。
【０００７】
該インクジェットプリンタにおいては、記録ヘッドのノズルからのインク滴の吐出に同期させてＬＥＤが発光させられ、発生させられた光が記録媒体に照射されるので、操作者は、透明カバーを介して筐体内を目視することによって、記録媒体の状態を観察することができる。
【先行技術文献】
【特許文献】
【０００８】
【特許文献１】特開２００７−１０５９２７号公報
【発明の概要】
【発明が解決しようとする課題】
【０００９】
しかしながら、前記従来のインクジェットプリンタにおいては、検査用のセンサの発光素子であるＬＥＤの発光強度が低いだけでなく、発生させられた光が照射される範囲が狭いので、キャリッジの周辺だけが明るくなり、キャリッジから離れた箇所における記録媒体の状態を観察することができない。キャリッジから離れた箇所における記録媒体の状態を観察しようとすると、キャリッジを移動させなければならず、インクジェットプリンタの操作が煩わしい。
【００１０】
また、ＬＥＤの光は記録媒体にスポット的に照射されるので、照射むらが発生し、記録媒体の状態を精度良く観察することができない。
【００１１】
本発明は、前記従来のインクジェットプリンタの問題点を解決して、操作者が筐体内の状態を精度良く観察することができるインクジェットプリンタを提供することを目的とする。
【課題を解決するための手段】
【００１２】
そのために、本発明のインクジェットプリンタにおいては、前壁、頂壁、背壁及び側壁を備え、インクジェットプリンタの装置本体を包囲する筐体と、該筐体内において主走査方向に延在させて配設されたレールと、該レールに沿って移動自在に配設されたキャリッジと、主走査方向に延在させて配設され、記録媒体を支持するプラテンと、前記キャリッジに搭載され、キャリッジの移動に伴って記録媒体に向けてインク滴を吐出し、記録を行う記録ヘッドと、前記筐体に配設され、筐体内の状態を観察するための透過窓と、前記筐体内において、前記装置本体の高さ方向におけるプラテンと頂壁との間にわたって配設され、光源によって発生させられた光を放射光として放射する照明装置とを有する。
【発明の効果】
【００１３】
本発明によれば、インクジェットプリンタにおいては、前壁、頂壁、背壁及び側壁を備え、インクジェットプリンタの装置本体を包囲する筐体と、該筐体内において主走査方向に延在させて配設されたレールと、該レールに沿って移動自在に配設されたキャリッジと、主走査方向に延在させて配設され、記録媒体を支持するプラテンと、前記キャリッジに搭載され、キャリッジの移動に伴って記録媒体に向けてインク滴を吐出し、記録を行う記録ヘッドと、前記筐体に配設され、筐体内の状態を観察するための透過窓と、前記筐体内において、前記装置本体の高さ方向におけるプラテンと頂壁との間にわたって配設され、光源によって発生させられた光を放射光として放射する照明装置とを有する。
【００１４】
この場合、照明装置が、筐体内において、装置本体の高さ方向におけるプラテンと頂壁との間にわたって配設され、光源によって発生させられた光を放射光として放射するので、被照射物が筐体内の高さ方向におけるいずれの箇所にあっても照射することができる。したがって、操作者は筐体内の状態を精度良く観察することができる。
【００１５】
しかも、筐体内の各部品の凹凸等によって影が生じるのを防止することができる。
【００１６】
したがって、視認性が高くなり、操作者は筐体内の状態を十分に観察することができる。
【００１７】
また、照明装置がプラテンと頂壁との間にわたって配設されるので、照射むらが発生することがなく、操作者は筐体内の状態を一層精度良く観察することができる。
【図面の簡単な説明】
【００１８】
【図１】本発明の実施の形態におけるインクジェットプリンタの要部断面図である。
【図２】本発明の実施の形態におけるインクジェットプリンタの斜視図である。
【図３】本発明の実施の形態におけるインクジェットプリンタの要部を示す斜視図である。
【図４】本発明の実施の形態における照明装置の斜視図である。
【発明を実施するための形態】
【００１９】
以下、本発明の実施の形態について図面を参照しながら詳細に説明する。この場合、画像形成装置としてのインクジェットプリンタについて説明する。
【００２０】
図１は本発明の実施の形態におけるインクジェットプリンタの要部断面図、図２は本発明の実施の形態におけるインクジェットプリンタの斜視図、図３は本発明の実施の形態におけるインクジェットプリンタの要部を示す斜視図、図４は本発明の実施の形態における照明装置の斜視図である。
【００２１】
図において、１０はインクジェットプリンタ、Ｃｓは該インクジェットプリンタ１０の本体、すなわち、装置本体を包囲する筐体、Ｆｒはインクジェットプリンタ１０のフレームであり、該フレームＦｒは、アッパフレームＦｒ１及びロワフレームＦｒ２から成る。
【００２２】
前記アッパフレームＦｒ１は、インクジェットプリンタ１０を前側（図２及び３において手前側）から見たときの左端から右端にかけて延在させて配設された受け板ＰＢ、該受け板ＰＢの左端から立ち上げて形成された第１の外フレームとしてのサイドフレームＰＬ１、前記受け板ＰＢの右端から立ち上げて形成された第２の外フレームとしてのサイドフレームＰＲ１、前記サイドフレームＰＬ１より所定の距離だけ右方において前記受け板ＰＢから立ち上げて形成された第１の内フレームとしての枠体ＰＬ２、前記サイドフレームＰＲ１より所定の距離だけ左方において前記受け板ＰＢから立ち上げて形成された第２の内フレームとしての枠体ＰＲ２、並びに各サイドフレームＰＬ１、ＰＲ１及び枠体ＰＬ２、ＰＲ２の上端を連結する上板ＰＴを備える。
【００２３】
前記ロワフレームＦｒ２は、インクジェットプリンタ１０の左端の近傍と右端の近傍との間に所定の距離を置いて平行に配設され、アッパフレームＦｒ１を支持する台座３５、３６を備え、該台座３５、３６間に、印刷が終了した後の図示されない記録媒体を巻き取るための図示されない巻取装置が配設される。
【００２４】
前記筐体Ｃｓは、前記アッパフレームＦｒ１を包囲する外装体であり、枠体ＰＬ２、ＰＲ２間を包囲する第１の筐体部Ｃｓ１、サイドフレームＰＬ１と枠体ＰＬ２との間を包囲する第２の筐体部Ｃｓ２、及びサイドフレームＰＲ１と枠体ＰＲ２との間を包囲する第３の筐体部Ｃｓ３から成る。また、前記筐体Ｃｓは、頂壁Ｗｔ、該頂壁Ｗｔの前端部から斜め下方に向けて延在させられる前壁Ｗｆ、頂壁Ｗｔの後端部から垂下させて延在させられる背壁Ｗｒ、及び頂壁Ｗｔの左右端からサイドフレームＰＬ１、ＰＬ２を覆うように垂下させて延在させられる側壁Ｗｓ１、Ｗｓ２を備え、前記前壁Ｗｆにおける枠体ＰＬ２、ＰＲ２間に、光透過材料（透明又は半透明の材料）で形成された、筐体Ｃｓ内の状態を観察するための透過窓としての板状のカバー２８が、上端に配設されたヒンジｈｇによって開閉自在に配設される。前記カバー２８は、上端が下端より前記背壁Ｗｒ側に位置するように傾斜させて配設され、通常は自重で閉状態に置かれ、操作者が下端を持ち上げることによって開状態に置かれる。
【００２５】
そして、前記枠体ＰＬ２、ＰＲ２の互いに対向する面に、閉状態に置かれたカバー２８の下端がヒンジｈｇより前方に位置するように、カバー２８の傾斜角度を設定するための支持片２９が、カバー２８に向けて突出させて形成される。
【００２６】
前記筐体Ｃｓ内において、サイドフレームＰＬ１、ＰＲ１間に、左右方向、すなわち、主走査方向に延在させてレール１５が配設（架設）され、該レール１５に沿ってキャリッジ１７が移動自在に配設される。そのために、前記サイドフレームＰＲ１に駆動側のプーリ１８が、サイドフレームＰＬ１に従動側のプーリ１９が回転自在に配設され、駆動側のプーリ１８と従動側のプーリ１９とによって無端ベルト２１が走行自在に張設され、該無端ベルト２１の所定の箇所に前記キャリッジ１７が取り付けられる。該キャリッジ１７には、一つ又は複数の、本実施の形態においては、複数の記録ヘッドＨｄｉ（ｉ＝１、２、…、ｎ）が搭載される。また、駆動側のプーリ１８に近接させてキャリッジ走行用の駆動部としてのキャリッジモータ２４が配設される。
【００２７】
前記キャリッジ１７は、レール１５より前方に形成された第１の部分としての主ケース１７Ａ、及び該主ケース１７Ａの上端から後方に向けて延在させて形成された第２の部分としての副ケース１７Ｂを備え、前記主ケース１７Ａ内に、前記記録ヘッドＨｄｉがノズル面を下方に向けて配設される。なお、主ケース１７Ａは、前壁Ｗｆと同じ角度で傾斜させて形成され、記録ヘッドＨｄｉの上方を覆う傾斜壁部Ｖｆを備える。
【００２８】
前記レール１５に沿って、かつ、レール１５と平行に延在させてリニアスケール２３が配設され、該リニアスケール２３の目盛りが、キャリッジ１７に配設された図示されないエンコーダによって読み取られ、該エンコーダのセンサ出力に基づいてキャリッジ１７の位置が検出される。また、キャリッジ１７の位置の変化及び時間に基づいてキャリッジ１７の移動速度が算出される。
【００２９】
したがって、前記キャリッジモータ２４を駆動することによって前記駆動側のプーリ１８を回転させ、無端ベルト２１を走行させると、キャリッジ１７を主走査方向に移動させ、各記録ヘッドＨｄｉを主走査方向に移動させることができる。このとき、キャリッジ１７の移動に伴って各記録ヘッドＨｄｉが各色のインク滴を記録媒体に向けて吐出し、記録媒体に付着させることによって、記録媒体に文字、イメージ等の画像が形成される。これにより、記録ヘッドＨｄｉによる記録が行われ、印刷が行われる。なお、本実施の形態においては、記録媒体として、用紙のほかに、塩化ビニル、ＰＥＴ等の樹脂製のフィルム等を使用することができる。
【００３０】
また、前記レール１５に沿って、かつ、レール１５と平行に、すなわち、主走査方向に延在させて、プレート状の形状を有するプラテン２５が配設される。該プラテン２５は、第１の筐体部Ｃｓ１内において、前記受け板ＰＢ上における枠体ＰＬ２、ＰＲ２間に延在させて配設され、プラテン２５上を搬送される記録媒体を支持する。
【００３１】
そして、前記プラテン２５の下方に、記録媒体を負圧によってプラテン２５に引き寄せるための空気吸引装置３８が配設される。該空気吸引装置３８は、プラテン２５の下方の全域に形成され、複数の部屋に区画された吸引室３９、該各吸引室３９の前面に配設された図示されない吸引用のファン等から成る。前記プラテン２５には複数の孔が形成され、吸引用のファンによって各孔を介して吸引室３９に吸引された筐体Ｃｓ内の空気は、図示されないダクトを介して筐体Ｃｓ外に排出される。これにより、記録媒体はプラテン２５によって平坦に支持される。
【００３２】
また、前記第１の筐体部Ｃｓ１内におけるプラテン２５より後方に、第１の媒体案内部としてのリヤペーパガイド２６が配設され、該リヤペーパガイド２６は、図示されない繰出しロールから繰り出された記録媒体を前記プラテン２５に向けて案内する。そのために、背壁Ｗｒにおけるリヤペーパガイド２６と対向する箇所に媒体導入口Ｅｉが形成され、前記リヤペーパガイド２６とプラテン２５との間に、搬送部材としての搬送ローラ対３０が回転自在に配設される。
【００３３】
該搬送ローラ対３０は、プラテン２５に隣接させて、インクジェットプリンタ１０の走査方向に延在させて回転自在に配設された第１のローラとしての搬送ローラ３１、及び該搬送ローラ３１より上方において、所定のピッチで複数箇所に回転自在に配設され、記録媒体を搬送ローラ３１に押し付ける第２のローラとしてのピンチローラ３２から成る。搬送用の駆動部としての図示されない搬送モータを駆動し、搬送ローラ３１を回転させると、ピンチローラ３２が連れ回りで回転させられる。
【００３４】
これにより、記録媒体が、搬送ローラ３１とピンチローラ３２とによって挟まれた状態で繰出しロールから繰り出され、リヤペーパガイド２６上をプラテン２５に向けて送られる。そして、プラテン２５上を搬送されている間に、記録媒体と記録ヘッドＨｄｉのノズル面とが対向させられ、記録ヘッドＨｄｉからインク滴が吐出され、記録媒体に付着させられる。
【００３５】
この場合、前記搬送モータを駆動して記録媒体を所定の距離搬送した後、搬送モータを停止させ、その状態でキャリッジ１７を移動させ、記録ヘッドＨｄｉからインク滴を吐出することによって、１走査が行われ、１ライン分の画像が形成される。１走査が終了すると、前記搬送モータを再び駆動して記録媒体を所定の距離搬送した後、搬送モータを停止させ、その状態でキャリッジ１７を移動させ、記録ヘッドＨｄｉからインク滴を吐出することによって、１走査が行われ、１ライン分の画像が形成される。この動作を繰り返すことによって、記録媒体に画像が形成され、印刷が行われる。
【００３６】
なお、本実施の形態においては、シングルパス方式によって印刷が行われるようになっているが、マルチパス方式によって印刷を行う場合は、前記記録媒体を搬送する距離が記録ヘッドＨｄｉの図示されないノズル列より短くされ、複数の走査を行うことによって１ライン分の画像が形成される。
【００３７】
そして、前記第１の筐体部Ｃｓ１内におけるプラテン２５より前方に、印刷が行われた後の記録媒体を筐体Ｃｓ外に案内し、排出するための第２の媒体案内部としてのフロントペーパガイド３３が配設される。該フロントペーパガイド３３は、前記プラテン２５から水平方向に排出された記録媒体を下方に向けて案内するために、湾曲した形状を有する。また、カバー２８の下端とフロントペーパガイド３３との間に媒体排出口Ｅｏが形成される。
【００３８】
したがって、媒体導入口Ｅｉから筐体Ｃｓ内に供給された記録媒体は、リヤペーパガイド２６によって案内されてプラテン２５に送られ、プラテン２５上において、記録ヘッドＨｄｉから吐出されたインク滴が付着させられ、画像が形成され、印刷が行われ、印刷が行われた後、フロントペーパガイド３３によって案内されて媒体排出口Ｅｏから筐体Ｃｓ外に排出され、ロワフレームＦｒ２に配設された前記巻取装置に送られて、巻き取られる。
【００３９】
なお、前記リヤペーパガイド２６、プラテン２５及びフロントペーパガイド３３には加熱部材としての図示されないヒータが埋設され、記録媒体が、リヤペーパガイド２６において予熱され、プラテン２５及びフロントペーパガイド３３において加熱されることによって、記録媒体に付着したインク滴が乾燥するのが促進される。
【００４０】
また、第２、第３の筐体部Ｃｓ２、Ｃｓ３内の、レール１５上における、枠体ＰＲ２とサイドフレームＰＲ１との間にキャリッジ１７のホームポジションが、サイドフレームＰＬ１と枠体ＰＬ２との間にキャリッジ１７の折返しポジションが形成される。
【００４１】
また、ホームポジションの下方に、記録ヘッドＨｄｉの図示されないノズルを良好な状態に保持するために、各記録ヘッドＨｄｉのノズル面を払拭する第１のメンテナンス装置としてのワイパーユニット４１が、折返しポジションの下方に、ノズルの乾燥を防止するとともに、ノズル内で粘度が高くなったインクを吸引する第２のメンテナンス装置としてのキャップユニット４２が配設される。そして、第３の筐体部Ｃｓ３の所定の箇所に、操作ボタン等から成る操作部、及び表示ランプ等から成る表示部を備えた操作パネル４３が配設される。
【００４２】
ところで、前記インクジェットプリンタ１０においては、筐体Ｃｓの前壁Ｗｆにおける枠体ＰＬ２、ＰＲ２間に前記カバー２８が形成されているので、筐体Ｃｓ内の状態、例えば、印刷が行われた記録媒体の状態、記録ヘッドＨｄｉによる記録の状態、ワイパーユニット４１及びキャップユニット４２によるメンテナンスの状態、用紙詰まり（ジャム）等の不具合が生じた場合における不具合の状態等をカバー２８を介して観察することができる。
【００４３】
ところが、筐体Ｃｓ内が暗いと、視認性が低く、筐体Ｃｓ内の状態を十分に観察することができない。
【００４４】
そこで、本実施の形態においては、筐体Ｃｓ内を明るくするために、筐体Ｃｓ内の複数の領域、本実施の形態においては、前記装置本体の高さ方向におけるプラテン２５から頂壁Ｗｔまでの領域、前記装置本体の前後方向における前壁Ｗｆからレール１５までの領域、及び前記装置本体の幅方向におけるレール１５の両端間の領域に、照明装置４５、４６が配設される。
【００４５】
そして、該照明装置４５、４６は、サイドフレームＰＬ１及び枠体ＰＬ２における互いに対向する面、枠体ＰＬ２、ＰＲ２における互いに対向する面、並びに枠体ＰＲ２及びサイドフレームＰＲ１における互いに対向する面に取り付けられる。
【００４６】
各サイドフレームＰＬ１、ＰＲ１及び枠体ＰＬ２、ＰＲ２は、いずれも、受け板ＰＢから垂直に立ち上げて形成された垂直枠ｆａ、及び該垂直枠ｆａの上端と上板ＰＴとの間に傾斜させて形成された傾斜枠ｆｂを備え、前記照明装置４５が傾斜枠ｆｂの部分に斜め方向に延在させて、照明装置４６が垂直枠ｆａの部分に垂直方向に延在させて取り付けられる。
【００４７】
前記各照明装置４５、４６は、光源ユニット４８、及び該光源ユニット４８を包囲する包囲体４９を備える。
【００４８】
前記光源ユニット４８は、長手方向に延在させて形成された基板５３、及び該基板５３上に所定の間隔を置いて等ピッチで配設された光源としての複数のＬＥＤ５４を備える。該ＬＥＤ５４は、図示されない制御部からの信号を受けて駆動（点灯）され、発光させられ、光を発生させる。
【００４９】
また、前記包囲体４９は、所定の曲線、本実施の形態においては、放物線形状を有するとともに、断面が「Ｕ」字状の形状を有する反射板から成る湾曲部５５、該湾曲部５５から前端にかけて互いに平行に形成された側壁部５６、５７、及び側壁部５６、５７の前端を覆い、放射光を放射する光放出部６０を備える。前記湾曲部５５及び側壁部５６、５７は、内周面に白色、銀色等の塗料が塗布され、反射板を形成する。また、前記光放出部６０は、ポリカーボネート等の透明な樹脂、又はガラスによって形成され、表面に微小な凹凸が形成され、光を拡散させる光拡散部を構成する。
【００５０】
湾曲部５５の焦点部分にＬＥＤ５４を置き、ＬＥＤ５４を発光させると、発生させられた光は湾曲部５５で反射させられ、光放出部６０に送られ、光放出部６０において拡散させられ、放射光として様々な方向に放射される。
【００５１】
したがって、照明装置４５、４６から放射された放射光によって筐体Ｃｓ内を明るくすることができる。また、放射光によって、筐体Ｃｓ内の各部位に配設された記録媒体、キャリッジ１７、記録ヘッドＨｄｉ、プラテン２５、レール１５、搬送ローラ対３０、ワイパーユニット４１、キャップユニット４２等の被照射物が照射されるので、被照射物がスポット的に照射されることがなくなる。その結果、被照射物における照射強度にばらつきが生じることがなく、照射むらが発生しないので、操作者は、被照射物を精度良く観察することができる。
【００５２】
このように、本実施の形態においては、照明装置４５、４６が、筐体Ｃｓ内において、装置本体の高さ方向におけるプラテン２５と頂壁Ｗｔとの間にわたって配設され、ＬＥＤ５４によって発生させられた光を放射光として放射するので、被照射物が筐体Ｃｓ内の高さ方向におけるいずれの箇所にあっても照射することができる。したがって、操作者は筐体Ｃｓ内の状態を精度良く観察することができる。
【００５３】
しかも、筐体Ｃｓ内の各部品の凹凸等によって影が生じるのを防止することができる。
【００５４】
したがって、視認性が高くなり、操作者は筐体Ｃｓ内の状態を十分に観察することができる。
【００５５】
また、本実施の形態においては、第１の筐体部Ｃｓ１内において、枠体ＰＬ２、ＰＲ２における互いに対向する面に配設された照明装置４５、４６から放射光が放射され、第２の筐体部Ｃｓ２内において、サイドフレームＰＬ１及び枠体ＰＬ２における互いに対向する面に配設された照明装置４５、４６から放射光が放射され、第３の筐体部Ｃｓ３内において、枠体ＰＲ２及びサイドフレームＰＲ２における互いに対向する面に配設された照明装置４５、４６から放射光が放射されるので、筐体Ｃｓ内の各部位に配設された被照射物を確実に照射することができる。
【００５６】
そして、装置本体の高さ方向において、照明装置４５は、レール１５と頂壁Ｗｔとの間にわたって配設され、レール１５とキャリッジ１７の上面との間の全域に放射光を放射し、照明装置４６は、プラテン２５とレール１５との間にわたって配設され、プラテン２５とレール１５との間の全域に放射光を放射するので、筐体Ｃｓ内の各部品の凹凸等によって影が生じるのを防止することができる。
【００５７】
仮に、装置本体の高さ方向において照明装置が限られた位置に配設されると、ピンチローラ３２、レール１５等の周囲に影が生じるが、本実施の形態においては、照明装置４５が、レール１５とキャリッジ１７の上面との間の全域に放射光を放射し、照明装置４６が、プラテン２５とレール１５との間の全域に放射光を放射するので、影が生じない。
【００５８】
したがって、視認性が高くなり、操作者は筐体Ｃｓ内の状態を十分に観察することができる。その結果、例えば、操作者は、印刷が行われた直後の記録媒体の状態を観察することができ、印刷の不良が発生したときに、印刷の不良を早期に発見することができる。
【００５９】
しかも、照明装置４５、４６が、装置本体の前後方向における前壁Ｗｆとレール１５との間、及び装置本体の幅方向におけるレール１５の両端間にわたって配設されるので、プラテン２５及び該プラテン２５の周辺を確実に照射することができるだけでなく、ワイパーユニット４１及びキャップユニット４２も照射することができる。
【００６０】
したがって、操作者は、筐体Ｃｓ内の状態を一層十分に観察することができる。
【００６１】
そして、用紙詰まり等の不具合が生じた場合でも、放射光によって不具合が生じた箇所を照射することができるので、不具合の状態を観察することができる。
【００６２】
なお、筐体Ｃｓの内周面に白色、銀色等の塗料を塗布したり、筐体Ｃｓの内周面に鏡面処理を施したりして、照明装置４５、４６から放射された放射光を筐体Ｃｓの内周面で再び反射させることによって、筐体Ｃｓ内を一層明るくすることができる。
【００６３】
さらに、照明装置４５、４６の放射光は、前壁Ｗｆ側から背壁Ｗｒに向けて放射されるので、放射光が操作者の目に入ることはない。しかも、照明装置４５、４６から放射された放射光によって被照射物が照射されたときに、被照射物上で反射される反射光の強度が小さくなるので、反射光が操作者の目に入っても、眩しくない。したがって、操作者は筐体Ｃｓ内の状態を確実に観察することができる。
【００６４】
なお、前述されたように、本実施の形態においては、カバー２８が、上端が下端より背壁Ｗｒ側に位置するように傾斜させて配設されるようになっているが、カバー２８を、下端が上端より背壁Ｗｒ側に位置するように、筐体Ｃｓ内に向けて傾斜させることができる。その場合、インクジェットプリンタ１０が設置された室内の天井等の蛍光灯等の室内照明器具からの光がカバー２８に当たったときに、カバー２８に室内照明器具の映像が写ることがなく、視認性を向上させることができる。
【００６５】
また、本実施の形態においては、光源ユニット４８が包囲体４９によって包囲されるようになっているが、光源ユニット４８を直接サイドフレームＰＬ１、ＰＲ１及び枠体ＰＬ２、ＰＲ２に取り付けることができる。
【００６６】
なお、本発明は前記実施の形態に限定されるものではなく、本発明の趣旨に基づいて種々変形させることが可能であり、それらを本発明の範囲から排除するものではない。
【符号の説明】
【００６７】
１０    インクジェットプリンタ
１５    レール
１７    キャリッジ
２５    プラテン
２８    カバー
４５、４６    照明装置
５４    ＬＥＤ
Ｈｄｉ    記録ヘッド
Ｃｓ    筐体
Ｗｆ    前壁
Ｗｒ    後壁
Ｗｓ１、Ｗｓ２    側壁
Ｗｔ    頂壁
【図１】
2019048405.tif 000003
【図２】
2019048405.tif 000004
【図３】
2019048405.tif 000005
【図４】
2019048405.tif 000006